(57)【要約】【課題】  シート取出補助具において、先行するシートの外部への取り出しに伴って引き出された後続のシートの先端がシート束へ戻ることをより確実に防止する。【解決手段】  弾性変形可能な素材板を折り曲げて作成したシート取出補助具であって、第１の表板２１と、第１の表板２１の縁部Ｊ２０から折り曲げられて、この第１の表板２１に重ねられた第２の表板２２と、第１の表板の縁部から折り曲げられてこの第１の表板に対して起立する第１の面接触板２３と、第２の表板２２の縁部から折り曲げられて第２の表板２２に対して第１の面接触板２３と同方向に起立するとともに第１の面接触板２３と互いに対向して面接触する第２の面接触板２４とを備え、シート束１０からシート１１を上から順番に１枚ずつ第１の面接触板２３と第２の面接触板２４との間を通して取り出す。【選択図】          図４
2005145539.tif 000002
【特許請求の範囲】
【請求項１】
複数のシートを互いに折り込んで積層したシート束から前記シートを上から順番に１枚ずつ上方に向けて取り出すためのシート取出補助具であって、
前記シートの取り出し口を構成する、互いに対向して面接触する２つの面接触板を備え、前記２つの面接触板が、該２つの面接触板の間を通して１枚の前記シートが取り出されたときに、該先行するシートに折り込まれた後続の１枚のシートの先端が、前記先行するシートの外部への取り出しに伴い該２つの面接触板の間を通して外部に引き出された状態で、該後続のシートを狭持するものであることを特徴とするシート取出補助具。
【請求項２】
複数のシートを互いに折り込んで積層したシート束から前記シートを上から順番に１枚ずつ上方に向けて取り出すための、素材板を折り曲げて作成したシート取出補助具であって、第１の表板と、該第１の表板の縁部から折り曲げられた第２の表板と、前記第１の表板の縁部から折り曲げられて該第１の表板に対して起立する第１の面接触板と、前記第２の表板の縁部から折り曲げられて該第２の表板に対して前記第１の面接触板と同方向に起立するとともに前記第１の面接触板と互いに対向して面接触する第２の面接触板とを備えたことを特徴とするシート取出補助具。
【請求項３】
複数のシートを互いに折り込んで積層したシート束を収容し前記シートを上から順番に１枚ずつ上方に向けて取り出すための、素材板を折り曲げて作成したシート収容箱であって、
前記シート収容箱の底面を構成する４角形状の底面部と、
該底面部の４辺のうちの３辺それぞれから折り曲げて起立させた、前記シート収容箱の側面を構成する３つの側面部と、
前記底面部と対向する前記シート収容箱の上面を構成する、前記３つの側面部のうちの対向する２つの前記側面部それぞれの上縁から内側に折り曲げられた２つの蓋面部と、
前記２つの蓋面部の先端部それぞれから外側に折り曲げられて前記上面に対して起立するとともに互いに対向して面接触する２つの面接触部と、
前記３つの側面部のうちの前記対向する２つの側面部とは異なる前記側面部の上縁から内側に折り曲げられた、前記面接触する２つの面接触部が挿入されて該面接触部の面接触状態を維持する開口部を有する面接触維持部とを備え、
前記シート収容箱内に収容された前記シート束を構成する前記シートが前記２つの面接触部の間を通して１枚ずつ外部に取り出されるものであることを特徴とするシート収容箱。
【請求項４】
複数のシートを互いに折り込んで積層したシート束を収容し前記シートを上から順番に１枚ずつ上方に向けて取り出すための、素材板を折り曲げて作成したシート収容箱であって、
前記シート収容箱の底面を構成する４角形状の底面部と、
該底面部の４辺それぞれから折り曲げて起立させた、前記シート収容箱の側面を構成する４つの側面部と、
前記底面部と対向する前記シート収容箱の上面を構成する、前記４つの側面部のうちの対向する１組の側面部それぞれの上縁から内側に折り曲げられた２つの蓋面部と、
前記２つの蓋面部の先端部それぞれから外側に折り曲げられて前記上面に対して起立するとともに互いに対向して面接触する２つの面接触部と、
前記４つの側面部のうちの前記１組の側面部とは異なる２つの前記側面部における上縁それぞれから延びる、前記面接触する２つの面接触部が挿入されて該面接触部の面接触状態を維持する開口部をそれぞれ有する２つの面接触維持部とを備え、
前記シート収容箱内に収容された前記シート束を構成する前記シートが前記２つの面接触部の間を通して１枚ずつ外部に取り出されるものであることを特徴とするシート収容箱。
【請求項５】
前記素材板の一部分を成し、厚さ方向が前記底面部と平行になるように折り曲げられて、前記シート束と前記底面部との間に挿入可能な間隔変更部を備えていることを特徴とする請求項３または４記載のシート収容箱。
【発明の詳細な説明】
【技術分野】
【０００１】
本発明は、複数のシートを互いに折り込んで積層したシート束からシートを１枚ずつ取り出すためのシート取出補助具およびシート収容箱に関するものである。
【背景技術】
【０００２】
従来より、複数のティッシュペーパを互いに折り込んで積層したティッシュペーパの束を収容して、上記ティッシュペーパを１枚ずつ取り出せるようにしたティッシュペーパボックスが知られている。
【０００３】
このようなティッシュペーパボックスは、ティッシュペーパの取り出し口に線状の開口（スリット）を有する樹脂フィルムが配設されており、上記スリットを通して外部に引き出された先行するティッシュペーパにつづく後続のティッシュペーパが、先行するティッシュペーパに引かれてその先端が上記スリットを通って外部に引き出された後、上記先行するティッシュペーパから離れ上記先端がスリットに狭持されることにより、再び箱内に戻らないようになっている。
【０００４】
先端が外部に引き出されたティッシュペーパが箱内に戻らないようにする他の方式としては、ティッシュペーパの取り出し経路となる開口を間に挟んで両側から延びる２枚の対向する平板を上記開口の上方で重なり合わせて線接触させ、この線接触した領域を通してティッシュペーパを外部に取り出すようにし、後続のティッシュペーパの先端をこの線接触した領域で狭持して後続のティッシュペーパの箱内への戻りを防止するものが知られている（特許文献１参照）。また、ティッシュペーパの取り出し経路となる筒状体の内壁に魚のうろこ状の突起を対向させ点接触させた取り出し口を備え、上記点接触した領域を通してティッシュペーパを外部に取り出すようにし、後続のティッシュペーパの先端をこの点接触した領域で狭持してティッシュペーパの箱内への戻りを防止する方式も知られている（特許文献２参照）。
【特許文献１】特開平０８−２４４８６３号公報
【特許文献２】特開平１０−１１３３０２号公報
【発明の開示】
【発明が解決しようとする課題】
【０００５】
しかしながら、上記のように線接触した領域でティッシュペーパを狭持する方式では、２枚の平板が重ねられた全領域に亘ってこれらの平板を一様に線接触させることが難しく、２枚の平板が接触していない領域が生じことがあり、このような領域に後続のティッシュペーパが位置すると、ティッシュペーパが２枚の平板の間から抜け落ちてシート束に（すなわち、箱内に）戻ってしまうことがある。また、上記点接触した領域でティッシュペーパを狭持する方式においても、後続のティッシュペーパが点接触した領域で狭持されずに、筒状体から抜け落ちて箱内に戻ってしまうことがある。
【０００６】
また、箱内に収容されているティッシュペーパの残量が少なくなると、積層したティッシュペーパの束の上面と取り出し口との間隔が広がって、外部に取り出されるティッシュペーパが後続のティッシュペーパを引き上げる距離が長くなり、後続のティッシュペーパを箱内に引き戻す力（主に後続のティッシュペーパの自重によって生じる力）が増大する。そのため、箱内のティッシュペーパの残量が少なくなったときには、特に、後続のティッシュペーパが箱内に戻る場合が多くなる。
【０００７】
本発明は、上記事情に鑑みてなされたものであり、先行するシートの外部への取り出しに伴って引き出された後続のシートの先端がシート束へ戻ることをより確実に防止することができるシート取出補助具およびシート収容箱を提供することを目的とするものである。
【課題を解決するための手段】
【０００８】
本発明の第１のシート取出補助具は、複数のシートを互いに折り込んで積層したシート束から前記シートを上から順番に１枚ずつ上方に向けて取り出すためのシート取出補助具であって、前記シートの取り出し口を構成する、互いに対向して面接触する２つの面接触板とを備え、前記２つの面接触板が、これら２つの面接触板の間を通して１枚のシートが取り出されたときに、この先行するシートに折り込まれた後続の１枚のシートの先端が前記先行するシートの外部への取り出しに伴い該２つの面接触板の間を通して外部に引き出された状態で、この後続のシートを狭持するものであることを特徴とするものである。
【０００９】
前記面接触板は、面接触板の間にシートが無いときに互いに面接触するものであり、上記シートは２つの面接触板の間を通り抜けることができるとともに、２つの面接触板の間に位置する前記シートを所定の力で両側から押圧して狭持し得るものであればどのような構成のものでもよい。例えば、面接触板として弾性変形し易い部材を用いた場合には、面接触板を弾性変形させて２つの面接触板の間にシートを通すことができ、一方、面接触板を弾性変形し難い部材を用いて作成した場合には、例えば、一方の面接触板を他方の面接触板に向けて付勢して互いに面接触するようにし、この負勢力に抗してこれら２つの面接触板の間にシートを通すことができる。
【００１０】
前記互いに対向して面接触する２つの面接触板は、１組備えてもよいし、２組以上備えてもよい。
【００１１】
本発明の第２のシート取出補助具は、複数のシートを互いに折り込んで積層したシート束から前記シートを上から順番に１枚ずつ上方に向けて取り出すための、素材板を折り曲げて作成したシート取出補助具であって、第１の表板と、この第１の表板の縁部から折り曲げられた第２の表板と、前記第１の表板の縁部から折り曲げられてこの第１の表板に対して起立する第１の面接触板と、前記第２の表板の縁部から折り曲げられてこの第２の表板に対して前記第１の面接触板と同方向に起立するとともにこの第１の面接触板と互いに対向して面接触する第２の面接触板とを備えたことを特徴とするものである。なお、前記第２のシート取出補助具は前記シート束の上方に配置されて使用されるものである。
【００１２】
この第２のシート取出補助具は、より具体的には、素材板を弾性変形可能な平板部材からなるものとし、第１の表板と、この第１の表板の縁部から折り曲げられてこの第１の表板に重ねられた第２の表板と、前記重ねられた第１の表板と第２の表板とからなる領域の略中央を通る第１の表板の他の縁部を構成する第１の線分において折り曲げられてこの第１の表板に対して起立する第１の面接触板と、この第１の線分と概略重なる前記第２の表板の縁部を構成する第２の線分において折り曲げられてこの第２の表板に対して前記第１の面接触板と同方向に起立するとともにこの第１の面接触板と互いに対向して面接触する第２の面接触板とで構成することができる。
【００１３】
前記重ねられた第１の表板と第２の表板とからなる領域の概略中央を通る第１の線分は、２つの面接触板の間を通してシートが取り出されたときに、この先行するシートにつづく後続のシートの先端が２つの面接触板の間を通して外部に引き出されるように定めればよく、この第１の線分を上記領域の中央を通る位置に正確に定める場合に限らず、上記領域の中央から多少外れた位置に定めるようにしてもよい。
【００１４】
前記第１の線分と概略重なる第２の線分は、第１の面接触板と第２の面接触板とが互いに対向して面接触するように定めればよく、第１の線分に対して第２の線分が完全に重なるように定める場合に限らず、第１の線分に対して第２の線分が多少ずれて重なるように定めるようにしてもよい。
【００１５】
前記面接触板は、面接触板の間にシートが無いときに互いに面接触するものであり、上記シートは２つの面接触板の間を通り抜けることができるとともに、２つの面接触板の間に位置する前記シートを所定の力で両側から押圧して狭持し得るものであればどのような構成のものでもよい。例えば、面接触板として弾性変形し易い部材を用いた場合には、面接触板を弾性変形させて２つの面接触板の間にシートを通すことができ、一方、面接触板を弾性変形し難い部材を用いて作成した場合には、例えば、一方の面接触板を他方の面接触板に向けて付勢して互いに面接触するようにし、この負勢力に抗してこれら２つの面接触板の間にシートを通すことができる。
【００１６】
前記互いに対向して面接触する第１の面接触板と第２の面接触板とからなる組は、１組備えてもよいし、２組以上備えてもよい。
【００１７】
本発明の第１のシート収容箱は、複数のシートを互いに折り込んで積層したシート束を収容し前記シートを上から順番に１枚ずつ上方に向けて取り出すための、素材板を折り曲げて作成したシート収容箱であって、シート収容箱の底面を構成する４角形状の底面部と、この底面部の４辺のうちの３辺それぞれから折り曲げて起立させた、シート収容箱の側面を構成する３つの側面部と、前記底面部と対向するシート収容箱の上面を構成する、前記３つの側面部のうちの対向する２つの側面部それぞれの上縁から内側に折り曲げられた２つの蓋面部と、前記２つの蓋面部の先端部それぞれから外側に折り曲げられて前記上面に対して起立するとともに互いに対向して面接触する２つの面接触部と、前記３つの側面部のうちの前記対向する２つの側面部とは異なる側面部の上縁から内側に折り曲げられた、前記面接触する２つの面接触部が挿入されて該面接触部の面接触状態を維持する開口部を有する面接触維持部とを備え、シート収容箱内に収容されたシート束を構成する前記シートが前記２つの面接触部の間を通して１枚ずつ外部に取り出されることを特徴とするものである。
【００１８】
本発明の第２のシート収容箱は、複数のシートを互いに折り込んで積層したシート束を収容し前記シートを上から順番に１枚ずつ上方に向けて取り出すための、素材板を折り曲げて作成したシート収容箱であって、シート収容箱の底面を構成する４角形状の底面部と、この底面部の４辺それぞれから折り曲げて起立させた、シート収容箱の側面を構成する４つの側面部と、前記底面部と対向するシート収容箱の上面を構成する、前記４つの側面部のうちの対向する１組の側面部それぞれの上縁から内側に折り曲げられた２つの蓋面部と、前記２つの蓋面部の先端部それぞれから外側に折り曲げられて前記上面に対して起立するとともに互いに対向して面接触する２つの面接触部と、前記４つの側面部のうちの前記１組の側面部とは異なる２つの側面部における上縁それぞれから延びる、前記面接触する２つの面接触部が挿入されて該面接触部の面接触状態を維持する開口部をそれぞれ有する２つの面接触維持部とを備え、シート収容箱内に収容されたシート束を構成する前記シートが前記２つの面接触部の間を通して１枚ずつ外部に取り出されることを特徴とするものである。
【００１９】
前記第１のシート収容箱、および第２のシート収容箱は、より具体的には、素材板を弾性変形可能な平板部材からなるものとし、２つの蓋面部が、前記シート収容箱の上面の所定位置において互いに突き合わされる先端部を有するように構成することができる。
【００２０】
前記先端部が互いに突き合わされる所定位置は、前記上面の中央であることが好ましい。
【００２１】
前記４角形状の底面部は、長方形とすることができる。また、この底面部は４角形状の一部分に切欠きを有するものであってもよい。例えば、上記底面部は、４角形状の４隅に切欠きを有する十字形状を成すものであってもよい。
【００２２】
前記内側は箱の中央の側を意味する。
【００２３】
前記面接触部は、面接触部の間にシートが無いときに互いに面接触するものであり、上記シートは２つの面接触部の間を通り抜けることができるとともに、２つの面接触部の間に位置する前記シートを所定の力で両側から押圧して狭持し得るものであればどのような構成のものでもよい。例えば、面接触部として弾性変形し易い部材を用いた場合には、面接触部を弾性変形させて２つの面接触部の間にシートを通すことができ、一方、面接触部を弾性変形し難い部材を用いて作成した場合には、例えば、一方の面接触部を他方の面接触部に向けて付勢して互いに面接触するようにし、この負勢力に抗してこれら２つの面接触部の間にシートを通すことができる。
【００２４】
前記互いに対向して面接触する２つの面接触部からなる組は、１組備えてもよいし、２組以上備えてもよい。
【００２５】
前記第１のシート収容箱および第２のシート収容箱は、素材板の一部分を成し、厚さ方向が底面部と平行になるように折り曲げられて、前記シート束と前記底面部との間に挿入可能な間隔変更部を備えることができる。
【００２６】
前記素材板は、樹脂材料、金属材料、あるいは紙材料からなるものとすることができる。また、この素材板は、樹脂材料、金属材料、あるいは紙材料を主要な材料とする複合材料からなるものとすることもできる。
【００２７】
前記各発明における「１枚」とは、予め想定されたシート束から同時に取り出すシートの最小単位を意味するものであり、例えば、２枚が同時に取り出されることが想定されている２枚を１組として重ねられたシートの場合には、この１組が上記１枚に対応するものとなる。
【００２８】
前記各発明におけるシートとしては、ティッシュペーパ、ウェットティッシュペーパ、あるいはペーパタオル等を採用することができる。
【発明の効果】
【００２９】
本発明の第１のシート取出補助具および第２のシート取出補助具によれば、互いに面接触している面接触板を備えているので、２つの面接触板の間を通して１枚のシートが外部に取り出されたときに、この先行するシートにつづく後続のシートを上記２つの面接触板の間の面状の領域で狭持することができ、すなわち、従来の線接触する領域あるいは点接触する領域でシートの先端を狭持していた場合に比して、平面的な広がりを持つより広い領域においてシートを狭持することができ、面接触板の間からシートが抜け落ちてシート束の側へ戻ることをより確実に防止することができ、シートの先端を２つの面接触板の間に狭持した状態をより確実に維持することができる。
【００３０】
さらに、面接触板が弾性変形可能なものである場合には、面接触板の間にシートを通すときに弾性変形した面接触板の反力によってシートをより確実に面接触板の間に狭持することができる。これとともに、２つの面接触板が弾性変形してシートを包み込むことによりシートと面接触板とで密封空間を形成することができ、先行するシートの取り出しに伴い上記密封空間が負圧となって、この先行するシートにつづく後続のシートをこの密封空間内に引き込むことができるので、先行するシートの取り出しに伴う後続のシートの面接触板の間における上方への移動をより確実に行うことができるという効果も享受することができる。
【００３１】
また、上記本発明の第２のシート取出補助具は、素材板を折り曲げて作成するので、この素材板の製作、および製作された素材板の組み立てが容易であり装置コストを抑えることができる。
【００３２】
本発明の第１のシート収容箱および第２のシート収容箱は、素材板を折り曲げて作成したシート収容箱であって、互いに対向して面接触する２つの面接触部を備えているので、２つの面接触部の間を通して１枚のシートが外部に取り出されたときに、この先行するシートにつづく後続のシートを上記２つの面接触部の間の面状の領域で狭持することができ、すなわち、従来の線接触する領域あるいは点接触する領域でシートの先端を狭持していた場合に比して、平面的な広がりを持つより広い領域においてシートを狭持することができ、面接触部の間からシートが抜け落ちてシート束の側へ戻ることをより確実に防止することができ、シートを２つの面接触部の間に狭持した状態をより確実に維持することができる。
【００３３】
さらに、素材板として弾性変形可能な平板部材を用いた場合には、２つの面接触部が弾性変形してシートを包み込むことによりシートと面接触部とで密封空間を形成することができ、先行するシートの取り出しに伴い上記密封空間が負圧となって、この先行するシートにつづく後続のシートをこの密封空間内に引き込むことができるので、先行するシートの取り出しに伴う後続のシートの面接触部の間における上方への移動をより確実に行うことができるという効果も享受することができる。
【００３４】
また、第１のシート収容箱および第２のシート収容箱を、前記素材板の一部分を成し、厚さ方向が前記底面部と平行になるように折り曲げられて、シート束と底面部との間に挿入可能な間隔変更部を備えたものとすれば、シート束の厚さが薄いときに間隔変更部をシート束と底面部との間に挿入してシート束の上面と面接触部とを接近させることができるので、面接触部の間からのシートの抜け落ちをさらに確実に防止することができる。
【００３５】
また、例えば、シート束がシートボックス内に収容されてこのシートボックス全体がシート収容箱に供給される場合において、シートボックスの厚さが薄いときには、間隔変更部をシートボックスと底面部との間に挿入してシート束の上面と面接触部とを接近させることができ、これにより、上記と同様に面接触部の間からのシートの抜け落ちを防止することができる。
【発明を実施するための最良の形態】
【００３６】
以下、本発明の実施の形態について図面を用いて説明する。
【００３７】
以下に説明するシート取出補助具およびシート収容箱は、複数のシートを互いに折り込んで積層したシート束から上記シートを上から順番に１枚ずつ上方に向けて取り出すためのシート取出補助具であって、シートの取り出し口を構成する、互いに対向して面接触する２つの面接触板（面接触部）を備え、２つの面接触板（面接触部）が、これら２つの面接触板（面接触部）の間を通して１枚のシートが取り出されたときに、先行するシートに折り込まれた後続の１枚のシートの先端が上記先行するシートの外部への取り出しに伴い２つの面接触板（面接触部）の間を通して外部に引き出された状態で上記後続のシートを狭持するものである。なお、上記シートとしては、ティッシュペーパ、ウェットティッシュペーパ、あるいはペーパタオル等を用いることができる。
【００３８】
図１は本発明の第１の実施の形態のシート取出補助具を示す斜視図、図２は上記シート取出補助具の素材板を示す図、図３はシート束を示す斜視図、図４はシート束が収容されたシートボックス上にシート取出補助具が配置される様子を示す斜視図、図５はシートボックス上に配置されたシート取出補助具を示す斜視図、図６から図１１は面接触板を通してシート束からシートが取り出される様子を示す概念図であり、図５中矢印Ｐ方向から見た図である。
【００３９】
図示の第１の実施の形態によるシート取出補助具１０１は、複数のシート１１ａ、１１ｂ…（複数のシート１１ａ、１１ｂ…をまとめてシート１１ともいう）を互いに折り込んで積層したシート束１０（図３参照）から、上記シート１１を上から順番に１枚ずつ上方に向けて取り出すためのものであり、素材板２０（図３参照）を折り曲げて作成したものである。上記素材板２０を折り曲げて作成したシート取出補助具１０１は、第１の表板２１と、第１の表板２１の縁部Ｊ２０から折り曲げられて、この第１の表板２１に重ねられた第２の表板２２と、重ねられた第１の表板２１と第２の表板２２とからなる領域の略中央を通る第１の表板の縁部を構成する第１の線分Ｊ２１において折り曲げられてこの第１の表板２１に対して起立する第１の面接触板２３と、第１の線分Ｊ２１と概略重なる第２の表板２２の縁部を構成する第２の線分Ｊ２２において折り曲げられて第２の表板２２に対して第１の面接触板２３と同方向に起立するとともに第１の面接触板２３と互いに対向して面接触する第２の面接触板２４とを備えている。
【００４０】
上記第１の表板２１における上記縁部Ｊ２０とは反対側の縁部Ｊ２３近傍の領域には、上記第１の面接触板２３の側に延び、その先端に上記縁部Ｊ２０の側に向かう突起２１Ａを有する突出部２１Ｂと、上記縁部Ｊ２３近傍の領域における上記突出部２１Ｂの側とは反対側にこの第１の表板２１の表裏を上記縁部Ｊ２０が延びる方向に貫通する切り口Ｋ１とが形成されている。また、上記第２の表板２２における上記縁部Ｊ２０とは反対側の縁部Ｊ２４近傍の領域には、上記第２の面接触板２４の側に延び、その先端に上記縁部Ｊ２０の側に向かう突起２２Ａを有する突出部２２Ｂと、上記縁部Ｊ２４近傍の領域における上記突出部２２Ｂの側とは反対側にこの第２の表板２２の表裏を上記縁部Ｊ２０が延びる方向に貫通する切り口Ｋ２が形成されている。
【００４１】
素材板２０を折り曲げてシート取出補助具１０１を作成する際に、上記突起２１Ａを上記切り口Ｋ２に挿入するとともに、突起２２Ａを切り口Ｋ１に挿入して第１の表板２１と第２の表板２２とが重なった状態を維持している。
【００４２】
図４および図５に示すように、上記シート取出補助具１０１は、シート束１０を収容した直方体形状のシートボックス１５のシート１１が取り出される開口部１６が形成された面１７上に、両面テープ１８を介して接着され固定される。
【００４３】
なお、シート取出補助具１０１のシートボックス１５への固定は、両面テープ１８を介することなく、シートボックス１５における面１７上にシート取出補助具１０１を載置した状態でシート取出補助具１０１とシートボックス１５とに亘るの両者の外周にゴムバンドを掛けて両者の位置関係を固定してもよい。このような場合には、上記ゴムバンドは第１の面接触板２３および第２の面接触板２４から外れた領域に配置する必要がある。以後、上記第１の面接触板２３と第２の面接触板２４を、２つの面接触板２３、２４ともいう。
【００４４】
２つの面接触板２３、２４の間を通して１枚のシート１１ａが取り出されたときに、この先行するシート１１ａに折り込まれていた後続の１枚のシート１１ｂの先端Ｂ１が、先行するシート１１ａの外部への取り出しに伴い上記２つの面接触板２３、２４の間を通って外部に引き出された状態となり、この先端Ｂ１が上記２つの面接触板２３、２４の間に狭持される。このとき、上記後続のシート１１ｂの後端Ｂ２がこの後続のシート１１ｂにつづくシート１１ｃに折り込まれた状態となるので、シート束１０から１枚のシート１１を外部へ取り出す毎に、このシートにつづく後続のシートの先端を、２つの面接触板２３、２４の間から突出させた状態を繰り返すことができる。
【００４５】
なお、シート取出補助具１０１をシートボックス１５に取り付ける場合には、はじめに、シート取出補助具１０１の第２の表板２２のみをシートボックス１５上に固定し、シートボックス１５に収容されているシート束１０から１枚のシート１１を開口部１６を通して引き出した後、このシート１１が面接触板２３、２４の間を通るようにして第２の表板２２上に第１の表板を重ね、さらに、突起２１Ａを切り口Ｋ２に挿入するとともに、突起２２Ａを切り口Ｋ１に挿入して第１の表板２１と第２の表板２２との位置関係を固定する。このようにして、シートボックス１５にシート取出補助具１０１が取り付けられ、面接触板２３、２４の間からシート１１の先端が突出した状態となる。
【００４６】
ここで、２つの面接触板２３、２４の間を通して１枚のシート１１ａが取り出されたときに、この先行するシート１１ａに折り込まれた後続の１枚のシート１１ｂの先端Ｂ１が、２つの面接触板２３、２４の間を通して外部に引き出されて、この先端Ｂ１が上記２つの面接触板の間に狭持される作用について詳しく説明する。図６から図１１は、２つの面接触板の間を通してシートが取り出される様子を示す概念図であり、２つの面接触板およびシート以外の図示は省略している。
【００４７】
上記のようにシート取出補助具１０１をシートボックス１５に取り付けて使用を開始するときには、図６に示すように、シート束の最上部に配置されていたシート１１ａの先端Ａ１が２つの面接触板２３、２４の間から突出した状態となっている。ここで、シート１１ａに折り込まれていた後続のシート１１ｂの上半部は上記シート１１ａの下半部に密着している。
【００４８】
次に、シート１１ａの先端Ａ１が上方に向けて引き上げられると、後続のシート１１ｂは、図７に示すように、この後続のシート１１ｂの上半部が上記先行するシート１１ａの下半部と密着したままの状態で、シート１１ａの引き上げに伴って上方に移動する。
【００４９】
つづいて、シート１１ａの先端Ａ１がさらに上方に向けて引き上げられると、図８に示すように、後続のシート１１ｂの上半部は先行するシート１１ａの下半部と密着したままの状態で引き上げられて、シート１１ｂの先端Ｂ１が２つの面接触板２３、２４の間に引き込まれる。ここで、先行するシート１１ａの下半部と後続のシート１１ｂの上半部とが２つの面接触板２３、２４の間の面状の広い範囲において狭持されたまま引き上げられるので、先行するシート１１ａの下半部と後続のシート１１ｂの上半部とが離れることがなく、後続のシート１１ｂは先行するシート１１ａの移動に伴って２つの面接触板２３、２４の間を通って確実に引き上げられる。
【００５０】
さらに、シート１１ａの先端Ａ１が上方に向けて引き上げられると、図９に示すように、後続のシート１１ｂの上半部は先行するシート１１ａの下半部と密着したままの状態で、シート１１ｂの先端Ｂ１が２つの面接触板２３、２４の間を通って外部に引き出される。このとき、シート１１ｂの下半部に密着しているシート１１ｃの上半部が、シート１１ｂの引き上げに伴って上方に移動する。
【００５１】
つづいて、シート１１ａの先端Ａ１が上方に向けてさらに引き上げられると、図１０に示すように、後続のシート１１ｂの上半部の多くの領域が２つの面接触板２３、２４の間を通って外部に引き出される。これとともに、シート１１ｂにつづくシート１１ｃの上半部はシート１１ｂの下半部と密着した状態で引き上げられて、シート１１ｃの先端Ｃ１が２つの面接触板２３、２４の間に引き込まれる。ここで、２つの面接触板２３、２４の間を通して先端Ｂ１が外部に引き出された後続のシート１１ｂは２つの面接触板２３、２４の間の面状の広い範囲において狭持されているので、シート１１ｂの先端Ｂ１が２つの面接触板２３、２４の間に引き戻されることはない。さらに、シート１１ａ、シート１１ｂ、シート１１ｃ、および２つの面接触板２３、２４で囲まれた領域Ｒ１は密封空間となるので、シート１１ａを上方へ引き上げると、領域Ｒ１内が負圧（真空状態）となって、シート１１ｃの先端Ｃ１がシート１１ａの後端Ａ２に近づくように上記領域Ｒ１に引き込まれるので、シート１１ｃの面接触板２３、２４の間における上方への移動をより確実に行うことができ、シート１１ｃが面接触板２３、２４の間を下方に戻って落下することもない。なお、２つの面接触板２３、２４における上記シートが通る方向と直交する側方両端のシート１１が通過しない領域においては２つの面接触板２３、２４が弾性変形して互いに面接触するため上記領域Ｒ１を密封空間とすることができる。
【００５２】
つづいて、シート１１ａの先端Ａ１が上方に向けてさらに引き上げられると、図１１に示すように、シート１１ａは２つの面接触板２３、２４の間から外れて外部に取り出され、後続のシート１１ｂの上半部の略全体が２つの面接触板２３、２４の間を通って外部に引き出される。また、２つの面接触板２３、２４の間に挟まれたシート１１ｃの先端Ｃ１の位置が上方に移動する。ここで、シート１１ｂは２つの面接触板２３、２４の間の面状の広い範囲において狭持されているので、シート１１ｂの先端Ｂ１が２つの面接触板２３、２４の間を通ってシート束１０側に引き戻されることはなく、先行するシート１１ａが外部に取り出された後も、上記先端Ｂ１が外部に引き出されている状態を確実に維持することができる。
【００５３】
上記のことにより、シートボックスから１枚のシートが外部に取り出されたときに、後続のシートの先端が２つの面接触板の間を通して外部に引き出されて狭持される作用を、シートボックス内に収容されたシートが無くなるまで確実に繰り返すことができる。
【００５４】
次に、本発明の第２の実施の形態について説明する。図１２は本発明の第２の実施の形態によるシート収容箱を示す斜視図、図１３は上記シート収容箱の素材板を示す図である。なお、図１３に示す素材板はシート収容箱の内部に面する側を示している。
【００５５】
シート収容箱の内部に面する側を示している。
【００５６】
図示の第２の実施の形態によるシート収容箱１０２は、上記第１の実施の形態と同様のシート束１０（図３参照）を収容しシート１１を上から順番に１枚ずつ上方に向けて取り出すためのシート収容箱であり、弾性変形可能な平板部材からなる素材板を折り曲げて作成したものである。
【００５７】
上記シート収容箱１０２は、このシート収容箱１０２の底面を構成する４角形状の底面部４０と、底面部４０の４辺のうちの３辺（図中Ｆ１、Ｆ２、Ｆ１０）それぞれから折り曲げて起立させた、このシート収容箱の側面を構成する３つの四角形状を成す側面部４１、４２、４７と、底面部４０と対向する上記シート収容箱４０の上面を構成する、上記３つの側面部４１、４２、４７のうちの対向する２つの側面部４１、４２それぞれの上縁Ｆ３、Ｆ４から内側（箱内の中央の側）に折り曲げられた、前記上面の所定位置（この上面の中央部）において互いに突き合わされる先端部である辺Ｆ５、Ｆ６を有する２つの蓋面部４３、４４と、２つの蓋面部４３、４４の辺Ｆ５、Ｆ６それぞれから外側に折り曲げられて前記上面に対して起立するとともに互いに対向して面接触する２つの面接触部４５、４６と、上記３つの側面部のうちの対向する２つの側面部４１、４２とは異なる側面部４７の上縁Ｆ１１から内側に折り曲げられた、上記面接触する２つの面接触部４５、４６が挿入されて面接触部４５、４６の面接触状態を維持する開口部４８Ａを有する面接触維持部４８とを備えている。
【００５８】
さらに、このシート収容箱１０２は、四角形状の側面部４１の上縁Ｆ３とは異なる位置において互いに対向する辺Ｆ１４および辺Ｆ１５それぞれから内側に折り曲げられて側面部４７および後述する側面部４９の内側にそれぞれ配置された舌片４１Ａ、４１Ｂと、四角形状の側面部４２の上縁Ｆ４とは異なる位置において互いに対向する辺Ｆ１６および辺Ｆ１７それぞれから内側に折り曲げられて側面部４７および後述する側面部４９の内側にそれぞれ配置された舌片４２Ａ、４２Ｂと、面接触維持部４８の先端部である辺Ｆ１２から内側に折り曲げられた、シート箱１０２の４つの側面のうちの上記３つの側面とは異なる側面を構成する側面部４９と、この側面部４９の先端部である辺Ｆ１３から内側に折り曲げられて舌片４１Ｂ、４２Ｂおよび底面部４０との間を通して箱の内部に挿入された舌片４９Ａとを備えている。ここで、舌片４９Ａは、面接触部４５、４６と面接触維持部４８との位置関係のずれを防止する。
【００５９】
上記のようにシート収容箱１０２を構成することにより、上記第１の実施の形態と同様の作用により、先行するシートの外部への取り出しに伴って引き出された後続のシートの先端がシート束へ戻ることをより確実に防止することができる。これとともに、シート収容箱１０２に収容されたシート１１を最後まで確実に１枚ずつ取り出すことができる。
【００６０】
なお、シート収容箱１０２の中にシート束１０をそのまま収容する場合に限らす、シート束１０が収容されているシートボックス１５をシート収容箱１０２の中に収容するようにしてもよい。このような場合においても上記と同様の効果を得ることができる。
【００６１】
なお、底面部４０の上記辺Ｆ１０の側とは反対側の辺Ｆ１４から延びる舌片４０Ａの孔Ｈ１を壁等に打ち付けた釘に通してこのシート収容箱１０２を壁に掛けたり、あるいは側面部４７中を貫通する２つの孔Ｈ２、Ｈ３に通したひもを用いてこのシート収容箱１０２を壁に掛けたりすることもできる。
【００６２】
次に、本発明の第３の実施の形態をについて説明する。図１４は本発明の第３の実施の形態によるシート収容箱を示す斜視図、図１５は上記シート収容箱の素材板を示す図、図１６は間隔変更部を使用してシート束を底上げする状態を示す図、図１７は間隔変更部を使用した底上げを解除した状態を示す図である。なお、図１５に示す素材板はシート収容箱の内部に面する側を示している。また、図１６および図１７においては間隔変更部の近傍のみを図示し他の部分の図示は省略している。
【００６３】
図示の第３の実施の形態によるシート収容箱１０３は、上記第１の実施の形態と同様の複数のシート１１ａ、１１ｂ・・・を互いに折り込んで積層したシート束１０（図２参照）が収容されたシートボックス１５を収容しシート１１を上から順番に１枚ずつ上方に向けて取り出すためのシート収容箱であり、弾性変形可能な平板部材からなる素材板を折り曲げて作成したものである。
【００６４】
上記シート収容箱１０３は、このシート収容箱１０３の底面を構成する４角形状の底面部６０と、底面部６０の４辺Ｇ１、Ｇ２、Ｇ１１、Ｇ１２それぞれから折り曲げて起立させた、シート収容箱１０３の側面を構成する四角形状をなす４つの側面部６１、６２、６７、６８と、底面部６０と対向するこのシート収容箱１０３の上面を構成する蓋面部であって、上記４つの側面部のうちの対向する１組の側面部である側面部６１、６２それぞれの上縁Ｇ３、Ｇ４から内側に折り曲げられた、前記上面の所定位置であるこの上面の中央において互いに突き合わされた先端部である辺Ｇ５、Ｇ６を有する２つの蓋面部６３、６４と、２つの蓋面部６３、６４の辺Ｇ５、Ｇ６それぞれから外側に折り曲げられて前記上面に対して起立するとともに互いに対向して面接触する２つの面接触部６５、６６と、上記４つの側面部のうちの上記１組の側面部６１、６２とは異なる２つの側面部６７、６８における上縁Ｇ１７、Ｇ１８それぞれから延びる、上記面接触する２つの面接触部６５、６６が挿入されて２つの面接触部６５、６６の面接触状態を維持する開口部Ｈ１、Ｈ２をそれぞれ有する２つの面接触維持部６９Ａ、６９Ｂとを備えている。
【００６５】
なお、上記面接触部６５は辺Ｇ５に対向する縁におけるシート１１が取り出される方向と直交する両端に切欠部６５Ａ，６５Ｂを、面接触部６６は辺Ｇ６に対向する縁におけるシート１１が取り出される方向と直交する両端に切欠部６６Ａ，６６Ｂを有し、面接触維持部６９Ａの開口Ｈ１が切欠部６５Ａおよび切欠部６６Ａに掛けられ、面接触維持部６９Ｂの開口Ｈ２が切欠部６５Ｂおよび切欠部６６Ｂに掛けられおり、これにより、２つの面接触部６５、６６の面接触状態が維持されている。
【００６６】
さらに、このシート収容箱１０３は、四角形状の側面部６１の上縁Ｇ３とは異なる位置において互いに対向する辺Ｇ１３と辺Ｇ１４それぞれから内側に折り曲げられて側面部６７と側面部６８の内側にそれぞれ位置する舌片６１Ａ、６１Ｂと、四角形状の側面部６２の上縁Ｇ４とは異なる位置において互いに対向する辺Ｇ１５と辺Ｇ１６それぞれから内側に折り曲げられて側面部６７と側面部６８の内側にそれぞれ位置する舌片６２Ａ、６２Ｂと、上記素材板の一部分を成し、厚さ方向が底面部６０と平行になるように折り曲げられて、後述するシートボックス１５´と底面部６０との間に挿入可能な、上記舌片６１Ａ、６１Ｂ、６２Ａ、６２Ｂのそれぞれから延びる間隔変更部７１Ａ，７１Ｂ、７２Ａ、７２Ｂとを備えている。
【００６７】
厚さ（箱の厚さ）が薄いシートボックス１５´を収容するときには、図１６に示すように、上記各間隔変更部７１Ａ、７１Ｂ、７２Ａ、７２Ｂを底面部６０の中央に引き出し、この状態において、間隔変更部７１Ａの先端側の切欠部Ｃ１と７２Ａの先端側の切欠部Ｃ１とを噛み合わせるとともに、上記と同様に間隔変更部７１Ｂの先端側の切欠部Ｃ１と７２Ｂの先端側の切欠部Ｃ１とを噛み合わせて、間隔変更部７１Ａ、７２Ａ、７１Ｂ、７２Ｂを底面部６０とシートボックスとの間に挿入し、これにより厚さの薄いシートボックス１５´の上面を面接触部６５、６６に接近させて配置することができる。一方、厚さが厚いシートボックス１５を使用するときには、上記各間隔変更部７１Ａ、７１Ｂ、７２Ａ、７２Ｂを底面部６０の周縁部に引き戻し、この状態において、間隔変更部７１Ａの基端側の切欠部Ｃ２と７２Ａの基端側の切欠部Ｃ２とを噛み合わせるとともに、間隔変更部７１Ｂの基端側の切欠部Ｃ２と７２Ｂの基端側の切欠部Ｃ２とを噛み合わせて、４つの間隔変更部７１Ａ、７２Ａ、７１Ｂ、７２Ｂを底面部６０とシートボックスとの間から外すことにより、厚さの厚いシートボックス１５をシート収容箱１０３に収容することができる。
【００６８】
上記のようにシート収容箱１０３を構成することにより、上記第１の実施の形態と同様の作用により、先行するシートの外部への取り出しに伴って引き出された後続のシートの先端がシート束へ戻ることをより確実に防止することができる。これとともに、シート収容箱１０３に収容されたシート１１を最後まで確実に１枚ずつ取り出すことができる。
【００６９】
なお、シート収容箱にはシート束１０をそのまま収容してもよいし、あるいはシート束１０が収容されているシートボックスをシート収容箱に収容するようにしてもよい。いずれの場合においても上記と同様の効果を得ることができる。
【００７０】
なお、上記素材板は、樹脂材料、金属材料、あるいは紙材料等からなるものとしたり、樹脂材料、金属材料、あるいは紙材料等を主要な材料とする複合材料からなるものとすることが好ましい。
【図面の簡単な説明】
【００７１】
【図１】本発明の第１の実施の形態によるシート取出補助具を示す斜視図
【図２】シート取出補助具の素材板
【図３】シート束を示す斜視図
【図４】シートボックス上にシート取出補助具が配置される様子を示す斜視図
【図５】シートボックス上に配置されたシート取出補助具を示す斜視図
【図６】面接触板を通してシート束からシートが取り出される際の第１番目の様子を示す概念図
【図７】面接触板を通してシート束からシートが取り出される際の第２番目の様子を示す概念図
【図８】面接触板を通してシート束からシートが取り出される際の第３番目の様子を示す概念図
【図９】面接触板を通してシート束からシートが取り出される際の第４番目の様子を示す概念図
【図１０】面接触板を通してシート束からシートが取り出される際の第５番目の様子を示す概念図
【図１１】面接触板を通してシート束からシートが取り出される際の第６番目の様子を示す概念図
【図１２】本発明の第２の実施の形態によるシート収容箱を示す斜視図
【図１３】シート収容箱の素材板を示す図
【図１４】本発明の第３の実施の形態によるシート収容箱を示す斜視図
【図１５】シート収容箱の素材板を示す図
【図１６】間隔変更部を使用してシート束を底上げする状態を示す図
【図１７】間隔変更部を使用した底上げを解除した状態を示す図
【符号の説明】
【００７２】
１０    シート束
１１    シート
２１    第１の表板
２２    第２の表板
２３    第１の面接触板
２４    第２の面接触板
１０１    シート取出補助具
【図１】
2005145539.tif 000003
【図２】
2005145539.tif 000004
【図３】
2005145539.tif 000005
【図４】
2005145539.tif 000006
【図５】
2005145539.tif 000007
【図６】
2005145539.tif 000008
【図７】
2005145539.tif 000009
【図８】
2005145539.tif 000010
【図９】
2005145539.tif 000011
【図１０】
2005145539.tif 000012
【図１１】
2005145539.tif 000013
【図１２】
2005145539.tif 000014
【図１３】
2005145539.tif 000015
【図１４】
2005145539.tif 000016
【図１５】
2005145539.tif 000017
【図１６】
2005145539.tif 000018
【図１７】
2005145539.tif 000019